(57)【要約】【課題】ユーザが興味を持っている商品を最寄りの店舗で買えるか否かを報知する。【解決手段】ユーザが選択した商品に関する情報を取得するとともに、ユーザ端末の位置情報検出部の出力に基づいて、検索対象となる地域範囲を決定し、決定された地域範囲内の店舗であって、上記取得した商品を取り扱っている店舗に関する情報を店舗データベースから検索し、ユーザに報知する。【選択図】図４
2015082134.tif 000002
【特許請求の範囲】
【請求項１】
ユーザが保有するユーザ端末と、前記ユーザ端末とネットワークを介して通信接続可能な報知サーバとを含む報知システムであって、
前記ユーザ端末は、
当該ユーザ端末の現在位置を検出する位置情報検出部と、前記報知サーバから送信される情報を受信してユーザに報知する報知部とを有し、
前記報知サーバは、
ユーザが選択した商品に関する情報を取得する商品情報取得部と、複数の店舗の位置情報および取扱商品情報を記憶した店舗データベースよりなるデータベース記憶部と、前記位置情報検出部による前記現在位置に基づいて、検索対象となる前記店舗の地域範囲を決定する決定手段と、前記決定された地域範囲内の店舗であって、前記商品情報取得部が取得した商品を取り扱っている店舗に関する情報を、前記店舗データベースから検索する検索部と、前記検索された店舗に関する情報を、前記ネットワークを介して前記ユーザ端末に送信する通信部とを有することを特徴とする報知システム。
【請求項２】
請求項１に記載の報知システムにおいて、前記店舗データベースには、各店舗における各取扱商品の販売価格に関する情報が含まれ、前記検索部が検索する情報は、当該店舗の場所を示す情報と、該当する商品の当該店舗における販売価格に関する情報とを少なくとも含むことを特徴とする報知システム。
【請求項３】
請求項１または請求項２に記載の報知システムにおいて、商品情報取得部が取得する情報は、ユーザが選択した商品のネット通販価格に関する情報を含み、前記検索部は、前記決定された地域範囲内の店舗であって、前記商品情報取得部が取得した商品を取り扱っており、かつ当該商品の当該店舗における販売価格が同商品の前記ネット通販価格以下の店舗に関する情報を検索することを特徴とする報知システム。
【請求項４】
ユーザが選択した商品に関する情報を取得する商品情報取得部と、
複数の店舗の位置情報および取扱商品情報を記憶した店舗データベースよりなるデータベース記憶部と、
現在位置を検出する位置情報検出部と、
前記位置情報検出部による前記現在位置に基づいて、検索対象となる前記店舗の地域範囲を決定する決定手段と、
前記決定された地域範囲内の店舗であって、前記商品情報取得部が取得した商品を取り扱っている店舗に関する情報を、前記店舗データベースから検索する検索部と、
前記検索された店舗に関する情報をユーザに報知する報知部とを具備することを特徴とする報知装置。
【発明の詳細な説明】
【技術分野】
【０００１】
本発明は、ユーザが興味を持っている商品を取り扱っている店舗に関する情報を報知する報知システムおよび報知装置に関する。
【背景技術】
【０００２】
ユーザが興味を持っている商品を「欲しい物リスト」として記憶し、ユーザがいつでもそのリストを閲覧できるようにしたネットワーク上のサービスがある（例えば、特許文献１参照）。ユーザは、複数の商品群から興味のある商品を選択して上記リストに加えることができる。
【先行技術文献】
【特許文献】
【０００３】
【特許文献１】特表２０１１−５１４５７３号公報
【発明の概要】
【発明が解決しようとする課題】
【０００４】
一般に商品を購入しようとする者にとって、自身が興味を持っている商品、例えば、上記「欲しい物リスト」に登録したような商品をどこで購入できるか、特に最寄りの店舗で取り扱っているのかという情報は有用である。いわゆるネット通販等の通信販売を利用して購入するという手もあるが、通信販売は商品の到着までにある程度の日数を要するので、近くの店舗で買えるのならそうしたいというケースは多々ある。そこで、欲しい商品が身近の店舗で買える場合にその旨を報知するシステムが望まれる。
【課題を解決するための手段】
【０００５】
本発明に係る報知システムは、ユーザが保有するユーザ端末と、ユーザ端末とネットワークを介して通信接続可能な報知サーバとを含む報知システムであって、ユーザ端末は、当該ユーザ端末の現在位置を検出する位置情報検出部と、報知サーバから送信される情報を受信してユーザに報知する報知部とを有し、報知サーバは、ユーザが選択した商品に関する情報を取得する商品情報取得部と、複数の店舗の位置情報および取扱商品情報を記憶した店舗データベースよりなるデータベース記憶部と、位置情報検出部による現在位置に基づいて、検索対象となる店舗の地域範囲を決定する決定手段と、決定された地域範囲内の店舗であって、商品情報取得部が取得した商品を取り扱っている店舗に関する情報を、店舗データベースから検索する検索部と、検索された店舗に関する情報を、ネットワークを介してユーザ端末に送信する通信部とを有することを特徴とする。
本発明に係る報知装置は、ユーザが選択した商品に関する情報を取得する商品情報取得部と、複数の店舗の位置情報および取扱商品情報を記憶した店舗データベースよりなるデータベース記憶部と、現在位置を検出する位置情報検出部と、位置情報検出部による現在位置に基づいて、検索対象となる店舗の地域範囲を決定する決定手段と、決定された地域範囲内の店舗であって、商品情報取得部が取得した商品を取り扱っている店舗に関する情報を、店舗データベースから検索する検索部と、検索された店舗に関する情報をユーザに報知する報知部とを具備することを特徴とする。
【発明の効果】
【０００６】
本発明によれば、ユーザは、自身が興味を持っている商品を最寄りの店舗で買えるか否かが容易に分かる。
【図面の簡単な説明】
【０００７】
【図１】本発明の一実施形態における報知システムの概略構成図。
【図２】報知サーバと通販サーバの制御ブロック図。
【図３】ユーザ端末の制御ブロック図。
【図４】報知サーバの制御部が実行する報知サービスの処理手順例を示すフローチャート。
【図５】ユーザ端末における報知情報の表示例を示す図。
【図６】ユーザ端末における報知情報の他の表示例を示す図。
【図７】ユーザ端末における報知情報の他の表示例を示す図。
【図８】変形例における報知サーバ１０のユーザごとの商品データベースの一例を示す図。
【図９】変形例における報知サーバ１０のユーザリストのデータベースの一例を示す図。
【発明を実施するための形態】
【０００８】
図面を参照して本発明の一実施形態を説明する。
図１に示すように、本実施形態における報知システムは、通販サイトにて購入希望あるいは購入予定商品について、ユーザの現在地近傍の店舗で販売していることを報知する機能を有する。この報知システムは、報知サービスの提供者が保有するサーバ（以下、報知サーバ）１０と、各種の商品を取り扱うネット通販サイト（サイト運営会社）が保有するサーバ（以下、通販サーバ）２０と、全国各地の店舗、すなわち、ネット上の仮想店舗ではなく実店舗が保有するサーバ（以下、店舗サーバ）３０と、報知サービスを受けるユーザが保有する端末機（以下、ユーザ端末）４０とを含み、これらはインターネット回線５０を介して互いに通信接続可能とされる。
【０００９】
なお、通販サーバ２０、店舗サーバ３０およびユーザ端末４０は各１個のみ図示したが、ネットワーク上にはいずれも複数存在する。通販サーバ２０を保有する各ネット通販サイトは、新品、中古を含む多種多様の商品を幅広く扱うサイト、複数のネットショップを管理するサイト、自社開発製品のみを販売するサイト等が存在する。
【００１０】
図２に示すように、報知サーバ１０は、サーバ制御部１１、記憶部１２、通信部１３などを備える。サーバ制御部１１は、ＣＰＵ等から成る。記憶部１２は、複数のデータベース、すなわち、地図データベース、店舗データベース等を格納するデータベース格納部１２Ａと、プログラムを格納するプログラム格納部１２Ｂとを含む。通信部１３は、インターネット回線５０を介して他の通販サーバ２０、店舗サーバ３０やユーザ端末４０と通信するための通信回路等から成る。
【００１１】
図３に示すように、ユーザ端末４０は、操作部４１、位置情報検出部４２、表示部４３、通信部４４、記憶部４５、制御部４６等を備える。位置情報検出部４２は、ユーザ端末４０の現在位置を検出するもので、例えばＧＰＳ受信機から成る。表示部４３は、例えば画像や文字情報を表示可能なカラー液晶表示装置や、その表示回路等から成る。通信部４４は、インターネット回線５０を介してサーバ１０〜３０等と通信するための通信回路等から成る。記憶部４５は、ＲＯＭ、ＲＡＭ、ストレージ等から成り、ＲＯＭには種々のアプリケーションソフト（プログラム）が格納される。制御部４６は、ＣＰＵ等から成る。
【００１２】
ユーザは、ユーザ端末４０やその他の端末を用いて通販サーバ２０にアクセスし、複数の商品群の中から欲しい商品を選択し、支払い方法や配送先の指定等を含めた注文手続きを行うことができる。通販サーバ２０は、ユーザの注文を受付け、その内容に応じた処理を行う。
【００１３】
通販サーバ２０は、図２に示す報知サーバ１０と同様の構成であり、サーバ制御部１１、記憶部１２、通信部１３などを備える。サーバ制御部１１は、ＣＰＵ等から成る。記憶部１２は、ユーザが購入を予定している商品をリストアップしたユーザリストのデータベース等を格納するデータベース格納部１２Ａと、プログラムを格納するプログラム格納部１２Ｂとを含む。通信部１３は、インターネット回線５０を介して他の報知サーバ１０、店舗サーバ３０やユーザ端末４０と通信するための通信回路等から成る。
【００１４】
通販サーバ２０は、ユーザが「欲しいもの」として指定した商品をユーザごとに記憶し、それらの商品に関する情報をリスト化してユーザに報知するサービスを提供する。各ユーザは、複数の商品群の中から興味がある商品を選択し、その商品をリスト（以下、ユーザリスト）に加えるための操作を行う。この操作に応答して通販サーバ２０は、その商品をユーザリストに加える、すなわち、当該ユーザに割り当てられたユーザリスト用の記憶領域に追加記憶する。あるいは、ユーザが詳細情報を閲覧した商品を自動的にユーザリストに加えるようにしてもよい。ユーザリストに加える商品の多くは、いずれ買うかもしれないが、今は買わない商品である。
【００１５】
ユーザがユーザリストの閲覧操作を行うと、通販サーバ２０は、当該ユーザのユーザリストに含まれる商品の情報を一覧表示する。商品の情報は、商品名、メーカー名、商品画像、価格、送料等を含む。ユーザが一覧表示の中からいずれかの商品を選択すると、その商品の詳細ページに進み、その商品の詳細な説明や、既に購入した者の評価などを閲覧でき、さらに注文手続きに進むことができる。
【００１６】
店舗サーバ３０は、全国各地の実店舗に設置されているサーバであり、各店舗の名称、住所、位置情報（緯度、経度情報）、取扱商品に関する商品情報を記憶するデータベースを備えている。商品情報は、各取扱商品の名称、メーカー名、価格等を含む。
【００１７】
上述のとおり、報知サーバ１０は、データベース格納部１２Ａを有し、データベース格納部１２Ａには、地図データベースや店舗データベース等が格納されている。
【００１８】
店舗データベースは、店舗サーバ３０から提供された、全国各地の店舗に関する情報（以下、店舗情報）を記憶したデータベースである。店舗情報には、各店舗の名称、住所、位置情報（緯度、経度情報）、取扱商品に関する商品情報が含まれる。商品情報は、各取扱商品の名称、メーカー名、価格等を含む。報知サーバ１０と店舗サーバ３０との通信により、上記各店舗情報に変更があった場合はその都度店舗データベースが更新される。
【００１９】
報知サーバ１０が報知を行うタイミングについてユーザが選択できるようにすることが望ましい。例えば、
（１）ユーザがユーザ端末４０で所定の操作を行ったときに報知を行う
（２）ユーザの操作によらずに定期的に報知を行う
（３）報知内容が変更されたら報知を行う
のいずれを選択可能とする。ユーザは、自身のユーザ端末４０の種類、たとえば、携帯型か据え置き型かを選択したり、好みに応じて上記（１）〜（３）のいずれかを選択すればよい。
【００２０】
上記（１）、（２）の場合、報知サーバ１０は、条件が満たされると検索を行い、次いで検索結果としての報知情報を送信する。一方、（３）の場合は、検索自体は常時、すなわち、定期的に行い、今回の検索結果と前回との検索結果とが異なる場合に今回の検索結果を報知情報として送信する。
【００２１】
検索結果が前回と異なるケースとしては、検索対象となる地域範囲が変更された場合、店舗で扱う商品が変更された場合、ユーザのユーザリストに関する情報（以下、ユーザリスト情報）あるいは店舗における商品価格が変更された場合、ユーザリストに新しい商品が追加された場合などが考えられる。具体的な例として、例えばネット通販では、期間限定で商品を安売りすることがあり、たまたまユーザリストに含まれる商品がその対象であった場合は、ユーザリスト情報が更新される。その結果、通販価格と店舗価格が逆転することもあり、その場合は報知情報が前回と変わる。
【００２２】
ここで、店舗価格、あるいは、店舗価格に店舗までの交通費を加えた実支払価格、および通販価格、あるいは、通販価格に送料を加えた実支払価格に拘わらず報知を行う「無条件報知」か、前者が後者と同等かそれよりも安い場合に限って報知を行う「条件報知」かをユーザが選択できるようにしてもよい。
【００２３】
図４は、上記の報知サービスを実現するための報知サーバ１０における処理手順例を示している。このプログラムは、報知サーバ１０のプログラム格納部１２Ｂに記憶されており、報知サーバ１０のサーバ制御部１１により読み出されて実行される。
【００２４】
サーバ制御部１１は、ステップＳ１でユーザによる設定操作の有無を確認する。ユーザがユーザ端末４０において所定の操作を行うと、ステップＳ１が肯定され、ステップＳ２でユーザ設定処理を行う。このユーザ設定処理は、所定の設定画面をユーザ端末４０の表示部４３に表示させ、ユーザの設定操作に応じて設定内容をユーザごとに記憶するという処理である。設定可能な項目は、上述した検索対象の地域範囲を決めるための数値、例えば、半径Ｒ値や、「無条件報知」か「条件報知」かの選択、報知タイミング（１）〜（３）の選択等を含む。
【００２５】
サーバ制御部１１は、ステップＳ３において、記憶された設定内容に基づいて、検索を行うべきか否かを判定する。報知タイミングとして上記（１）が選択されている場合は、ユーザが所定の検索操作を行ったときにステップＳ３が肯定される。同（２）または（３）が選択されている場合は、前回の検索から所定の期間が経過している場合にステップＳ３が肯定される。ステップＳ３が肯定されるとステップＳ４に進み、否定されるとステップＳ１に戻る。
【００２６】
ステップＳ４において、報知サーバ１０のサーバ制御部１１は、インターネット回線５０を介してサービスを受けるユーザのユーザ端末４０に位置情報を要求する。位置情報は、ユーザ端末４０の位置情報検出部１１ｂで検出された情報、たとえば（緯度、および経度情報）であり、実質的にユーザの現在位置を表している。
【００２７】
ステップＳ５で位置情報の受信を確認すると、ステップＳ６でその位置情報および記憶されているユーザ設定の内容に基づいて、検索対象となる地域範囲を設定する。
【００２８】
検索の対象となる上記地域範囲は、ユーザ端末４０からの位置情報に基づいて決まる。例えば、受信した位置情報が示す現在位置を中心とする半径Ｒの円内を検索対象の地域範囲とする。Ｒの値は固定値でもよいが、ユーザが自由に指定できるようにすることが望ましい。例えば、複数の選択肢（Ｒ＝１００ｍ、２００ｍ、・・・、１ｋｍ、・・・）の中からいずれかを選択できるようにする。あるいは、位置情報が示す現在位置を含む行政区分（例えば、市区町村等）を検索対象の地域範囲とするようにしてもよい。
【００２９】
ここで、ユーザ端末４０がスマートフォン等の携帯端末であった場合は、ユーザの移動に従って位置情報が変化し、それに応じて検索対象の地域範囲も変化することになる。
【００３０】
ステップＳ７では、報知サーバ１０のサーバ制御部１１は、インターネット回線５０を介して通販サーバ２０にアクセスし、当該ユーザのユーザリスト情報を取得する。ユーザリスト情報は、ユーザリストに含まれる商品およびそれらの価格、送料等を含む。
【００３１】
サーバ制御部１１は、ステップＳ８でユーザリスト情報の受信を確認すると、ステップＳ９において、上記設定した地域範囲とユーザリスト情報とに基づいてデータベース検索を行う。すなわち、上述した店舗データベースから、設定された地域範囲内にある店舗であって、ユーザリスト情報に含まれる少なくとも１つの商品を取り扱っている店舗の店舗情報を抽出する。
【００３２】
検索対象の地域範囲が比較的広い場合、例えば、上記半径Ｒの値が大きい場合は、抽出された店舗がさほど近くではなく、そこへ行くには鉄道や路線バス等の交通機関を利用しなければならないケースもあり得る。この場合は、その店舗に行くのに必要な交通費、例えば、現在地の最寄り駅からその店舗の最寄り駅までの交通費をも考慮し、報知サーバ１０が送信する報知情報には、当該商品の店舗価格とは別に交通費を含める、あるいは店舗価格と交通費の合計金額を含めることが望ましい。交通費は、例えばインターネット上で路線案内サービス等を提供している会社のサーバを用いて、現在位置から店舗位置までを求めてユーザに提示する。
【００３３】
ステップＳ１０において、サーバ制御部１１は、ステップＳ９での検索結果を報知するタイミングか否かを判定する。上記報知タイミングとして（１）、（２）が選択されている場合は、ステップＳ１０は必ず肯定される。同（３）が選択されている場合は、今回の検索結果と前回の検索結果とを比較し、内容が異なる場合にのみステップＳ１０が肯定される。
【００３４】
ステップＳ１０が否定されるとステップＳ１に戻り、肯定されるとステップＳ１１に進む。ステップＳ１１において、サーバ制御部１１は、ステップＳ９での検索結果を報知情報としてユーザ端末４０に送信する。その後、ステップＳ１に戻る。
【００３５】
報知サーバ１０は、上記検索の結果、該当する店舗が抽出されると、その店舗情報を報知情報としてユーザ端末４０に送信する。ユーザ端末４０では、サーバ１０から送信されてきた報知情報を受信し、表示部４３に表示する。
送信される報知情報は、最低限、その商品を扱っている店舗の名称および場所、例えば、住所を含む。上記店舗データベース内の位置情報に基づき、その店舗の周辺の地図情報を地図サーバから検索し、その地図情報を含めて送信してもよい。
【００３６】
ユーザ端末４０では、報知サーバ１０から送信された店舗情報（報知情報）を受信して表示部４３に表示する。受信情報に地図情報が含まれる場合は、地図を表示し、当該店舗の地図上の位置が一目で分かるようにする。ユーザは、その表示を見ることで、興味のある商品が最寄りの店舗で買えること、およびその店舗の場所を知る。例えば、自宅近くでは売っていない商品が、職場の近くや、たまたま訪れた場所の近くで売っている場合、そのことを手軽に知ることができる。このような報知サービスは携帯端末使用の場合に享受できる。
【００３７】
一般にネット通販では、注文手続きが煩わしく、また注文から商品到着までにある程度の、場合によってはかなりの日数を要するので、最寄りの店舗で買えるならばそこで買った方がよい、というケースは多々ある。したがって、ネット通販をあまり利用しないユーザにとっても、頻繁に利用するユーザにとっても当該報知サービスの利用価値は高い。特に、ユーザ端末４０として携帯端末を使用するユーザにとってはより有用である。
【００３８】
ただし、もしネット通販での商品価格（以下、通販価格）が店舗での価格（以下、店舗価格）よりも安いということであれば、いずれで買うのがよいか一概にはいえない。そこで、報知サーバ１０が送信する報知情報には、当該商品の通販価格および店舗価格の双方を含めることが望ましい。通販価格はユーザリスト情報から、店舗価格は店舗データベースからそれぞれ取得できる。いずれの価格も税込み価格であることが望ましい。
【００３９】
また、ネット通販では送料が別途かかることがあり、商品価格自体はネット通販の方が安いが、送料を含めると店舗価格を上回るということもある。そこで、報知サーバ１０が送信する報知情報には、当該商品の通販価格とは別に送料を含める、あるいは通販価格と送料の合計金額を含めることが望ましい。なお、送料はユーザリスト情報から取得できる。
【００４０】
図５はユーザ端末４０における報知情報の表示例を示している。これは、ユーザリストに３つの商品Ａ〜Ｃが登録され、かつ上述した「無条件表示」が選択されているときの表示例である。商品Ａ〜Ｃの部分は実際には商品名が、同様に店舗１、３、５の部分は店舗名が表示される。各商品に対し、取扱店舗が複数ある場合は、店舗価格＋交通費が安い順に表示することが望ましい。また、各商品に対し、店舗価格＋交通費と通関価格＋送料のうち、最安値を強調表示（太線表示、他と異なる色で表示など）するようにしてもよい。図では、最安値に下線を付してある。
【００４１】
また、図５の表示において店舗を選択すると、その店舗周辺の地図が表示されるようにしてもよい。あるいは、「地図表示」を選択すると、検索対象の地域範囲を全て含む地図を表示し、その地図内に、検索された全ての店舗を明示するようにしてもよい。
【００４２】
なお、図５の例と同一条件で上述した「条件表示」が選択されている場合は、図６または図７のような表示とすればよい。これらの場合、商品Ｃについて取扱店舗（店舗５）は存在するが、その店舗の店舗価格＋交通費が通販価格＋送料よりも高いため、店舗情報を表示しない。
【００４３】
本発明は以下のような変形例として実施することもできる。図８と図９を参照して説明する。
報知サーバ１０には、図８に示すように、ユーザごとの商品データベースを設ける。これは、通販サーバ２０から取得したユーザごとの商品情報のデータベースであり、個人ＩＤと、情報更新日時と、買いたい商品名と、価格と、送料とを含む。報知サーバ１０は、ユーザ端末からこのサービスに関するアクセスがあると、ユーザＩＤをキーに通販サーバ２０にアクセスし、ユーザの購入予定商品情報を通販サーバ２０から取得する。
【００４４】
報知サーバ１０にはまた、図９に示すように、報知サーバ１０の店舗ごとの商品データベースを設ける。これは、図８の商品情報データベースの買いたい商品について、報知サーバ１０が店舗サーバ３０から取得したユーザ購入予定商品のデータベースであり、施設ＩＤと、店舗名と、所在地と、情報更新日時と、商品名と、価格とを含む。
【００４５】
図８および図９を参照してこの変形例のデータベースを利用した処理例を説明する。
個人ＩＤ１００１を有するユーザは２０１３年３月２０日に価格２５，０００円のＡＢＣカメラを購入予定リストにリストアップしている。このユーザが２０１３年３月２０日に新橋近辺を歩いているとき、報知サーバ１０は、東京カメラ新橋店では価格２４、０００円でＡＢＣカメラが販売されていることを示す情報をユーザ端末４０に送信する。この情報を見てユーザは、東京カメラ新橋店にて予定購入価格よりも安くＡＢＣカメラを購入することができる。
【００４６】
以上では、ユーザが選択した商品に関する情報として、ネット通販サイトのサービスであるユーザリストの情報を利用したが、これに代えて、例えばユーザが独自に入力した情報を用いてもよい。すなわち、ユーザは、興味のある商品の商品名やメーカー名を入力してリストを作成し、保存する。保存先は、ユーザ端末４０の記憶部４５であってもよいし、報知サーバ１０の記憶部１２、たとえば当該ユーザに割り当てられた記憶領域であってもよい。サーバ制御部１１は、その保存されたリストの情報を取り込んで上記ユーザリスト情報と同等に扱う。
【００４７】
また、以上ではネットワークを利用した形態を示したが、ユーザ端末単独で上記の機能を実現する、換言すれば、ユーザ端末を報知装置として機能させることも可能である。この場合は、ユーザ端末４０の記憶部４５に上記店舗データベース、地図データベース、および専用のアプリケーションソフト、すなわち図４と同等のプログラムを組み込み、制御部４６がプログラムを実行するようにする。ユーザが選択した商品に関する情報としては、上述したようにユーザが独自に入力した情報を用いる。あるいは、インターネット回線５０を通してりネット通販サイトのサービスであるユーザリストの情報を取り込み、これを利用してもよい。
本発明は以上説明した実施形態や変形例を適宜組合せて成る報知システムでもよい。また、本発明は上述した例に何ら限定されない。要するに本発明による報知システムは、ユーザが通販サイトにおいて購入したい商品、あるいは興味ある商品として登録した商品について、ユーザの現在位置に関して決定された領域内に販売する実店舗があることを報知するシステムであればよい。
【符号の説明】
【００４８】
１０  報知サーバ
１１  サーバ制御部
１２  記憶部
１３  通信部
２０  通販サーバ
３０  店舗サーバ
４０  ユーザ端末
４１  操作部
４２  位置情報検出部
４３  表示部
４４  通信部
４５  記憶部
４６  制御部
５０  インターネット回線
【図１】
2015082134.tif 000003
【図２】
2015082134.tif 000004
【図３】
2015082134.tif 000005
【図４】
2015082134.tif 000006
【図５】
2015082134.tif 000007
【図６】
2015082134.tif 000008
【図７】
2015082134.tif 000009
【図８】
2015082134.tif 000010
【図９】
2015082134.tif 000011